(57)【特許請求の範囲】
【請求項１】
細く長尺の基枠内の上部と下部に回動可能に軸支され、回動しながら本体枠側の受け金具を受け入れて係止す係止凹部を有したフック部材と、
該基枠内の上部と下部に摺動可能に配設され、該各フック部材が回動して該受け金具を該係止凹部内に受け入れて係止したとき、該各フック部材をロック状態に保持するロック部材と、
該基枠の正面側の取付板に、錠軸に固定したカム部材を該基枠内に位置させて取り付けられたシリンダ錠と、
該基枠内に長手方向に沿って摺動可能に配設され、該シリンダ錠による解錠操作時に該カム部材と係合して摺動し、該各ロック部材を解錠側に摺動させ、該フック部材とロック部材との係合を外して該各フック部材を解錠動作させる作動杆と、
を備え、該基枠が遊技機の表枠の内側に縦に取付けられ、該遊技機の本体枠に取付けられた受け金具に、上部と下部の該フック部材を係止させて該表枠を施錠する遊技機用施錠装置において、
前記基枠は、正面側の取付板、背面側の背面板、及び右側面側の支持板を各々略直角に曲折し、横断面を略コ字状とするチャンネル状に形成される一方、該受け金具を受け入れる受入開口部を該背面板から該支持板の上部と下部に形成して構成され、
前記フック部材及びロック部材は、施錠時及び解錠時共に該基枠の取付板、支持板及び背面板で囲まれた内側空間に位置し、
該フック部材と該ロック部材間にコイルばねが掛け渡され、該コイルばねは、該フック部材を解錠側に付勢すると共に、該ロック部材をロック側に付勢し、且つ解錠時に前記作動杆を元の位置に戻すように付勢し、
ガラス枠が前記遊技機の表枠に対し開閉可能に取り付けられ、該ガラス枠の上部と下部に施錠用のガラス枠受け部が設けられ、
前記基枠内の上部と下部にガラス枠施錠用の鉤部材が取付板に設けたスリットからその係止部を正面側に突出して該基枠内に摺動可能に取り付けられ、
該上部と下部の該鉤部材には各々施錠側に付勢するコイルばねがかけられ、該鉤部材を該ガラス枠の該ガラス枠受け部に係止させてガラス枠が施錠されるように構成され、
該基枠の内側に１本の作動杆が上下に摺動可能に配設され、前記作動杆は、前記ガラス枠用の鉤部材を施錠側に付勢するコイルばね及び前記ロック部材を付勢するコイルばねにより、上下中立位置に保持されるように構成され、
該作動杆には前記ロック部材及び鉤部材と係合する係合部が設けられ、該作動杆の上または下への摺動により、表枠用の該ロック部材又はガラス枠用の該鉤部材を上または下へ摺動させ、該ロック部材による該フック部材または該鉤部材の係止を解除して解錠側に回動または摺動させて、該表枠または該ガラス枠を解錠することを特徴とする遊技機用施錠装置。
【請求項２】
前記ロック部材に傾斜凸部が設けられ、前記フック部材に該傾斜凸部と係合する係合凸部が設けられ、該係合凸部として回動自在な係合ピンが該傾斜凸部と係合可能に設けられたことを特徴とする請求項１記載の遊技機用施錠装置。
【請求項３】
解錠動作時に、前記フック部材が回動して前記受け金具を押し出すための押出部が該フック部材に設けられたことを特徴とする請求項１または２記載の遊技機用施錠装置。
【請求項４】
遊技機の本体枠側に取り付けられて前記フック部材に係止される前記受け金具には、施錠時に該フック部材の背面側を覆うカバー部が設けられたことを特徴とする請求項１記載の遊技機用施錠装置。
【発明の詳細な説明】
【技術分野】
【０００１】
本発明は、パチンコ機、スロットマシンなどの遊技機の施錠装置に関し、特に、遊技機の表枠（前面枠、前扉）を本体枠（筐体）に対し施錠するフック部材を備えた遊技機用施錠装置に関する。
【背景技術】
【０００２】
例えば、パチンコ機の前面枠を本体枠に対し施錠する施錠装置として、下記特許文献１に記載されるように、断面Ｌ字状の取付板と支持板からなる基枠の内側に摺動杆が摺動可能に配設され、摺動杆の上部と下部に鉤部が側方に突出して形成され、取付板の中間部にシリンダ錠がその錠軸を取付板に設けた孔から内側に差込むように固定され、錠軸の先端に摺動杆と係合するカム部材が固定されてなる施錠装置が、使用されている。
【先行技術文献】
【特許文献】
【０００３】
【特許文献１】実開平２−３７８４号公報
【特許文献２】特開２００９−１６０２２３号公報
【発明の概要】
【発明が解決しようとする課題】
【０００４】
この種の施錠装置は、前面枠を施錠するために、前面枠を本体枠に対し閉じると、本体枠側に固定した受け金具の係止部に、摺動杆の上部と下部の鉤部が当たり、鉤部が摺動杆と共に解錠方向に一旦移動しながら元の位置に戻ってそのフック状の係止部分に係止され、施錠される。
【０００５】
しかしながら、この種の施錠装置は、前面枠を解錠して開放した状態において、フック状の鉤部が施錠装置の基枠体から突出す形態となるので、鉤部の先端が他の部材や点検作業のために前面枠を開放した作業者に干渉することがあり、できれば、鉤部が施錠装置の基枠体から外側に突出しないことが、点検作業などの際には望ましい。また、施錠装置を製造の段階で、遊技機の組立工程の場所まで搬送する際などに、鉤部が基枠体から突出した状態の施錠装置を搬送する場合、鉤部が他の部材と干渉しやすく、鉤部の干渉により搬送途中の不具合が生じやすい。さらに、ワイヤや針金等を遊技機の隙間から挿入するような不正解錠が行われた場合、鉤部が施錠装置の基枠体から突出する形態では、鉤部にワイヤや針金等がかかりやすく、不正解錠される可能性があった。
【０００６】
一方、上記特許文献２において、遊技機用施錠装置として、本体枠側に固定したピン状のストライカを、回動可能なフックとポールとの間に係止して施錠する遊技機用施錠装置が提案されている。この遊技機用施錠装置は、ストライカを係止するフックとポールが長尺のベース内に回動可能に取り付けられ、フックとポールはベース内に配置され、ベースから外側に突出する部材を少なくするようにしている。
【０００７】
しかし、フックとポールの形状が複雑となって前後方向に比較的長くなること、及び複雑な構造のフックとボールが施錠装置の側面に露出することから、フックとポールを取り付ける部分のベースの前後幅が幅広となって露出するので、施錠装置全体から見た場合、やはりストライカを係止するフックとポールの部分で施錠装置が背面側に突出し、しかも、フック、ポール、スライダ、コイルばね等がベースの側面に大きく露出する。
【０００８】
このため、遊技機の点検作業などの際、前面枠を開放したときに、施錠装置のフック、ポール、スライダ、コイルばね等がやはり作業者や他の部材と干渉しやすく、また、施錠装置の搬送時にも、フック、ポール、スライダ、コイルばね等が他の部材と干渉し、搬送途中に部品が外れるなどの不具合が生じやすいという課題があった。
【０００９】
さらに、この施錠装置は、フック、ポール、スライダ、コイルばね等の部品点数が多く、製造工程も増大し、製造コストが高く、しかも、装置の側面にフック、ポール、スライダ、コイルばね等が大きく露出するので、ワイヤや針金等を遊技機の隙間から挿入するような不正解錠が行われた場合、フック、ポール、スライダ、コイルばね等にワイヤや針金等がかかりやすく、不正解錠される可能性が大きい。
【００１０】
本発明は、上記の課題を解決するためになされたもので、シンプルな構造で、背面側及び正面側に突出部がなくコンパクトに構成でき、装置の搬送時や使用時の他部材との干渉を回避し、遊技機の表枠などを確実に施錠し円滑に解錠することができ、不正解錠を有効に防止可能な遊技機用施錠装置を提供することを目的とする。
【課題を解決するための手段】
【００１１】
上記目的を達成するために、本発明の遊技機用施錠装置は、
細く長尺の基枠内の上部と下部に回動可能に軸支され、回動しながら本体枠側の受け金具を受け入れて係止す係止凹部を有したフック部材と、
該基枠内の上部と下部に摺動可能に配設され、該各フック部材が回動して該受け金具を該係止凹部内に受け入れて係止したとき、該各フック部材をロック状態に保持するロック部材と、
該基枠の正面側の取付板に、錠軸に固定したカム部材を該基枠内に位置させて取り付けられたシリンダ錠と、
該基枠内に長手方向に沿って摺動可能に配設され、該シリンダ錠による解錠操作時に該カム部材と係合して摺動し、該各ロック部材を解錠側に摺動させ、該フック部材とロック部材との係合を外して該各フック部材を解錠動作させる作動杆と、
を備え、該基枠が遊技機の表枠の内側に縦に取付けられ、該遊技機の本体枠に取付けられた受け金具に、上部と下部の該フック部材を係止させて該表枠を施錠する遊技機用施錠装置において、
前記基枠は、正面側の取付板、背面側の背面板、及び右側面側の支持板を各々略直角に曲折し、横断面を略コ字状とするチャンネル状に形成される一方、該受け金具を受け入れる受入開口部を該背面板から該支持板の上部と下部に形成して構成され、
前記フック部材及びロック部材は、施錠時及び解錠時共に該基枠の取付板、支持板及び背面板で囲まれた内側空間に位置し、
該フック部材と該ロック部材間にコイルばねが掛け渡され、該コイルばねは、該フック部材を解錠側に付勢すると共に、該ロック部材をロック側に付勢し、且つ解錠時に前記作動杆を元の位置に戻すように付勢し、
ガラス枠が前記遊技機の表枠に対し開閉可能に取り付けられ、該ガラス枠の上部と下部に施錠用のガラス枠受け部が設けられ、
前記基枠内の上部と下部にガラス枠施錠用の鉤部材が取付板に設けたスリットからその係止部を正面側に突出して該基枠内に摺動可能に取り付けられ、
該上部と下部の該鉤部材には各々施錠側に付勢するコイルばねがかけられ、該鉤部材を該ガラス枠の該ガラス枠受け部に係止させてガラス枠が施錠されるように構成され、
該基枠の内側に１本の作動杆が上下に摺動可能に配設され、前記作動杆は、前記ガラス枠用の鉤部材を施錠側に付勢するコイルばね及び前記ロック部材を付勢するコイルばねにより、上下中立位置に保持されるように構成され、
該作動杆には前記ロック部材及び鉤部材と係合する係合部が設けられ、該作動杆の上または下への摺動により、表枠用の該ロック部材又はガラス枠用の該鉤部材を上または下へ摺動させ、該ロック部材による該フック部材または該鉤部材の係止を解除して解錠側に回動または摺動させて、該表枠または該ガラス枠を解錠することを特徴とする。
【００１２】
この発明によれば、上記フック部材、ロック部材、コイルばね及び作動杆を、チャンネル状の基枠内にコンパクトに配して、安価に製造することができ、また、基枠から外側に突出す部分が殆どなく、搬送時、実際の使用時共に、フック部材、ロック部材、コイルばね等と他の部材との干渉を回避して、搬送時の不具合を解消し、施錠装置を遊技機に取り付けて使用された場合、遊技機の点検時などに表枠を開放した際の作業者との干渉を回避することができる。さらに、フック部材、ロック部材、コイルばね等が基枠内に収容されるため、ワイヤや針金等を遊技機の隙間から挿入するような不正解錠が行われたとしても、フック部材、ロック部材、コイルばね等にワイヤや針金等がかかりにくく、不正解錠を防止することができる。
また、作動杆の上または下への摺動により、表枠用の該ロック部材又はガラス枠用の鉤部材を上または下へ摺動させ、ロック部材によるフック部材または鉤部材の係止を解除して解錠側に回動または摺動させて、表枠またはガラス枠を解錠するように構成されるので、コンパクトな施錠装置により、遊技機の表枠とガラス枠の両方を施錠することができ、また、１本の作動杆の上または下への摺動により、表枠またはガラス枠の解錠を簡単に行うことができる。
さらに、作動杆は、ガラス枠用の鉤部材を施錠側に付勢するコイルばねと、ロック部材を付勢するコイルばねとにより、中立位置に保持されるので、少ない部品点数で比較的簡単な構造により、解錠操作時、カム部材を介して作動杆を軽い操作力で上または下に摺動させて、表枠またはガラス枠を円滑に解錠することができる。
【００１３】
ここで、上記ロック部材に傾斜凸部が設けられ、上記フック部材に該傾斜凸部と係合可能な係合凸部が設けられ、該係合凸部は、回動自在な係合ピンにより形成することが好ましい。これによれば、施錠時に、係合ピンが回動しながらロック部材の傾斜凸部を押して摺動させるので、その間の摩擦抵抗を小さくし、より軽く施錠することができる。
【００１４】
また、解錠動作時に、受け金具を押し出す押出部を、上記フック部材に形成する構成とすることができる。これによれば、解錠時、フック部材がコイルばねの付勢力により解錠側に回動する際、押出部が受け金具を押し出すように作用し、表枠を自動的に押し開くことができる。
【００１５】
また、遊技機の本体枠側に取り付けられてフック部材に係止される受け金具には、施錠時にフック部材の背面側を覆うカバー部を設けることが好ましい。これによれば、施錠状態で、カバー部がフック部材を背面から覆うこととなるので、本体枠と表枠の隙間から針金等を挿入して行う不正解錠を、一層防止することができる。
【発明の効果】
【００１９】
本発明の遊技機用施錠装置によれば、簡単な構造で、背面側及び正面側に突出部がなくコンパクトな構造として、安価に製造することができる共に、基枠内にフック部材を位置させて他の部材との干渉を回避し、不正解錠を防止することができる。
【図面の簡単な説明】
【００２０】
【図１】本発明の一実施例を示す施錠装置の正面図である。
【図２】同施錠装置の右側面図である。
【図３】同施錠装置の背面図である。
【図４】同施錠装置の正面側の斜視図である。
【図５】同施錠装置に背面側の斜視図である。
【図６】同施錠装置の分解背面図である。
【図７】同施錠装置の分解右側面図である。
【図８】同施錠装置の上部斜視図である。
【図９】同施錠装置の下部斜視図である。
【図１０】パチンコ機に施錠装置を取り付けた状態の概略正面図である。
【図１１】パチンコ機に施錠装置を取り付けた状態の概略右側面図である。
【図１２】表枠を閉じる際の上部拡大右側面図である。
【図１３】表枠を施錠した状態の上部拡大右側面図である。
【図１４】表枠を閉じる際の下部拡大右側面図である。
【図１５】表枠を施錠した状態の上部拡大右側面図である。
【図１６】他の実施形態における表枠を閉じる際の上部拡大右側面図である。
【発明を実施するための形態】
【００２１】
以下、本発明の実施例を図面に基づいて説明する。図１はパチンコ機に適用される遊技機用施錠装置の正面図を、図２はその右側面図を、図３はその背面図を示している。図において、１は施錠装置のフレームとなる縦長の基枠であり、基枠１は、横断面を略コ字状としたチャンネル材状に形成され、正面側の取付板２、背面側の背面板４、及び右側面側の支持板３を各々略直角に曲折し、横断面を略コ字状とする形状に形成されている。
【００２２】
基枠１の正面に位置する取付板２は、遊技機の表枠の内側に縦に固定されるように、複数の固定孔が固定ねじのために形成され、さらに、取付板２の中間部下寄りに、シリンダ錠用の取付部２ａが正面側に突出すように形成され、その取付部２ａに、シリンダ錠７を挿入固定するための異形穴が形成される。シリンダ錠７はフランジ７ｂを有すると共に、ロータの先端が錠軸７ａとして内側に突設され、錠軸７ａの先端にカム部材９が固定される。シリンダ錠７は、取付板２の異形穴に内側から挿通し、フランジ７ｂを取付板２の内側に当て、固定ねじなどで締め付け固定され、基枠１の取付部２ａの正面側にシリンダ錠７が突出する形態で取り付けられる。図１４，１５などに示すように、カム部材９には２個の係合凸部９ａ，９ｂが両側に、対称型に突設されている。
【００２３】
さらに、基枠１の上部と下部には、受け金具５３の係止板５４を受け入れるための受入開口部１ａが背面板４から支持板３にかけて形成される。さらに、基枠１の取付板２、支持板３及び背面板４で囲まれた内側空間における受入開口部１ａの近傍に、フック部材５．６が支持板３の内側に枢軸５ａ，６ａを介して回動可能に軸支される。フック部材５，６は、図１２〜図１４に示すように、受け金具５３の係止板５４を嵌入させるための係止凹部５ｂ、６ｂが形成され、枢軸５ａ，６ａを軸にフック部材５，６を、施錠時と解錠時との間（図１２の角度αの範囲）で回動させたとき、フック部材５，６はその殆どの部分が基枠１内にあり、外側に突出しない形状に形成されている。
【００２４】
つまり、フック部材５，６は、施錠時、図１３，１５に示す如く、基枠１の内側にその略全体が収納されてロックされ、且つ解錠時においても、図１２，１４に示す如く、基枠１の内側にその略全体が収納された状態を維持するようになっており、これにより、施錠装置の搬送時に、フック部材５，６が他の部材と干渉し、或いは施錠装置の点検時などに作業者の邪魔にならない構造となっている。
【００２５】
さらに、図１２，１４のように、フック部材５，６の係止凹部５ｂ、６ｂの近傍には、解錠時にフック部材５，６が回動した際、係止凹部５ｂ、６ｂに係止していた受け金具５３の係止板５４を押し出すための押出部５ｄ、６ｄが膨出形状として形成されている。さらに、フック部材５，６には、図１２，１４に示すように、ロック部材１０，１１に係合する係合凸部５ｃ、６ｃが、部材の一部を右側に折り曲げるように形成され、施錠時に、受け金具５３の係止板５４がフック部材５，６の係止凹部５ｂ、６ｂ内に押し込まれ、フック部材５，６が図１２、１４の時計方向に回動したとき、ロック部材１０，１１の傾斜凸部１０ａ，１１ａを押し下げて下降させるようになっている。
【００２６】
ロック部材１０，１１は、施錠時、フック部材５，６が施錠位置まで回動したとき、フック部材５，６をロックする部材であり、上記のように、施錠時に、受け金具５３の係止板５４がフック部材５，６の係止凹部５ｂ、６ｂ内に押し込まれ、フック部材５，６が図１２、１４の時計方向に回動したとき、押し下げられて下降し、図１３，１５のように、その傾斜凸部１０ａ，１１ａをフック部材５，６の係合凸部５ｃ、６ｃに係止させてフック部材５，６をロック位置に係止するようになっている。また、図７などに示すように、ロック部材１０，１１の下部には、係合部１０ｂ、１１ｂがその一部を作動杆８側に折り曲げるように形成され、作動杆８のロック解除用の係合部８ｂ、８ｃと係合可能となっている。
【００２７】
図１２〜図１５に示す如く、フック部材５とロック部材１０間、フック部材６とロック部材１１間には、各々、コイルばね１２，１３が掛け渡され、このコイルばね１２，１３によって、フック部材５，６は解錠側（図１２、１４の反時計方向）に付勢され、ロック部材１０，１１はロック側（図１２，１４の上側）に付勢される。図７に示すように、ロック部材１０，１１には、長孔が縦に形成され、この長孔にリベット１８ｂ、１８ｄが挿入され、リベット１８ｂ、１８ｄの先端を基枠１の支持板３の内側面に固定し、ロック部材１０，１１を所定の範囲で上下摺動可能に基枠１内に配設している。なお、図１２，１４に示すように、リベット１８ｂ、１８ｄは、作動杆８に形成された長孔にも挿通され、作動杆８が解錠時、シリンダ錠７のカム部材９の回動によって摺動可能に保持されるようになっている。
【００２８】
作動杆８は、図４，５などに示すように、帯板状に形成されて基枠１の内側に、支持板３の内側に沿って上下摺動可能に収納される。上記のフック部材５とロック部材１０、及びフック部材６とロック部材１１は、支持板３と作動杆８との間に配設され、板状の作動杆８によりフック部材５，６及びロック部材１０，１１をカバーして露出させないようにしている。作動杆８は、解錠時に、シリンダ錠７の錠軸７ａの一方向の回動力を、カム部材９を介して受けて下降し、それにより、ロック部材１０，１１を下方に摺動させて、フック部材５，６の係止状態を解除して、表枠を解錠する一方、他方向へのカム部材９の回動時には上昇し、ガラス枠施錠用の鉤部材１４，１５を上昇させて、ガラス枠を解錠するように構成される。
【００２９】
このために、作動杆８には、その下部寄りに係合部８ａが設けられ、シリンダ錠７の挿入した鍵を右に回してカム部材９を同方向に回したとき、カム部材９の係合凸部９ａが係合部８ａの上部に係合して、作動杆８を下降させ、一方、鍵を左に回してカム部材９を同方向に回したとき、カム部材９の係合凸部９ｂが係合部８ａの下部に係合して、作動杆８を上昇させるようになっている。上述の如く、作動杆８には、その上部寄りと下端部に、ロック解除用の係合部８ｂ、８ｃが設けられ、作動杆８が解錠時に下降したとき、係合部８ｂ、８ｃがロック部材１０，１１の係合部１０ｂ、１１ｂに係合して押し下げ、ロック部材１０，１１を下方に摺動させてフック部材５，６の係止を解除して解錠する構造である。
【００３０】
さらに、基枠１の上部と中間部には、ガラス枠を施錠するための鉤部材１４，１５が、図４に示すように、基枠１の正面側の取付板２に設けたスリット２ｂからその係止部を突出すように取り付けられる。ガラス枠施錠用の鉤部材１４，１５は、図２、７に示すように、基枠１内に上下摺動可能に収容される長方形部分の正面側に、フック状の係止凹部を有する鉤部を、下向きに設けて構成される。鉤部材１４，１５には、係合凸部１４ａ，１５ａがコイルばね１６，１７の掛止部と兼用部分として設けられ、上記作動杆８がシリンダ錠７のカム部材９の回動により上昇したとき、作動杆８のガラス枠解錠用の係合部８ｄ，８ｅがその係合凸部１４ａ，１５ａと係合し、鉤部材１４，１５を上方に摺動させ、ガラス枠を解錠する。つまり、作動杆８は、表枠解錠用とガラス枠解錠用との兼用の作動杆として基枠１内に配設され、その下降により、ロック部材１０，１１を下降させ、ロック部材１０，１１のフック部材５，６に対するロックを解除して、表枠を解錠し、その上昇により、ガラス枠施錠用の鉤部材１４，１５を上昇させて、ガラス枠を解錠するように構成される。
【００３１】
鉤部材１４，１５の長方形部分に、長孔が形成され、その長孔にリベット１８ａ，１８ｃを挿入し、リベット１８ａ，１８ｃの先端を支持板３に固定することにより、鉤部材１４，１５は、リベット１８ａ，１８ｃと長孔をガイドとして、所定の範囲で上下摺動を可能として取り付けられる。また、図７に示すように、作動杆８にも、リベット１８ａ，１８ｃ挿通用の長孔が設けられ、作動杆８は、このリベット１８ａ，１８ｃと長孔の係合により、上下摺動をガイドされる。鉤部材１４，１５と基枠１の取付板２間には、コイルばね１６，１７が掛けられ、鉤部材１４，１５は各々コイルばね１６，１７により下側（施錠側）に常時付勢されている。つまり、作動杆８は、ガラス枠用の鉤部材１４、１５を施錠側に付勢するコイルばね１６、１７と、ロック部材１０、１１を付勢するコイルばね１２，１３とにより、中立位置に保持されるようになっている。これにより、少ない部品点数で比較的簡単な構造により、解錠操作時、カム部材９を介して作動杆８を軽い操作力で上または下に摺動させて、表枠またはガラス枠を円滑に解錠することができる。
【００３２】
このように構成された遊技機用施錠装置は、図１０、１１に示すように、パチンコ機における表枠５１の自由端側の内側に、シリンダ錠７の先端を前面に露出させ、フック部材５，６をパチンコ機の本体枠５０側に突出した状態で、取付板２の取付孔に固定ねじを挿入してねじこみ、縦に取付けられる。
【００３３】
一方、本体枠５０の内側のフック部材５，６に対応した上下位置には、受け金具５３が固定される。受け金具５３は、図９などに示すように、金属板を略コ字状に曲折して形成され、一方にフック部材５，６が係止される係止板５４が突設され、その係止板５４を背面側から覆うようにカバー部５５が形成されている。また、表枠５１の前面に開閉可能に装着されたガラス枠５２には、図１１のように、ガラス枠用の鉤部材１４，１５に対応した位置に、ガラス枠受け部５６が設けられる。
【００３４】
図１０に示すように、この施錠装置は、パチンコ機の表枠５１の自由端側縁部の内側に、縦に取り付けられるが、図１０，１１に示す如く、その基枠１の右側面に何れの解錠用部材も現れず、フック部材５，６、ロック部材１０，１１、作動杆８などは、基枠１の支持板３の内側に収納され、基枠１の背面側は背面板４により覆われる。このため、不正解錠の際に、本体枠５０と表枠５１の自由端側の隙間から、針金などが差し込まれたとしても、フック部材５，６、ロック部材１０，１１、作動杆８などに、針金等の不正器具は到達せず、その種の不正解錠を、効果的に防止することができる。また、表枠５１を施錠するフック部材５，６及びガラス枠５２を施錠する鉤部材１４，１５は各々独立して摺動可能な構造となっているので、それによっても、不正解錠を防止することができる。
【００３５】
次に、上記構成の遊技機用施錠装置の動作を説明する。パチンコ機における表枠５１を本体枠５０に対し閉じると、図１２〜１５に示すように、受け金具５３の係止板５４が、基枠１の受入開口部１ａから、フック部材５，６の係止凹部５ｂ、６ｂ内に進入し、コイルばね１２，１３の付勢力に抗して、フック部材５，６が図１２，１６の時計方向に回動する。
【００３６】
このとき、フック部材５，６はその係合凸部５ｃ、６ｃがロック部材１０，１１の傾斜凸部１０ａ，１１ａを押して、ロック部材１０，１１を下側に摺動させ、図１３，１５のロック位置までフック部材５，６が回動したとき、図１３，１５に示すように、係合凸部５ｃ、６ｃが傾斜凸部１０ａ，１１ａに係止されて、フック部材５，６が受け金具５３の係止板５４を巻き込むように係止した施錠状態となる。
【００３７】
一方、表枠５１を解錠する場合は、キーによってシリンダ錠７の錠軸７ａを右に回し、カム部材９を同方向に回転させる。このとき、カム部材９の係合凸部９ａが作動杆８の係合部８ａの上部に係合し、作動杆８を下側に押し下げる。
【００３８】
この作動杆８の下降により、その係合部８ｂ、８ｃがロック部材の係合部１０ｂ、１１ｂに係合して、ロック部材１０，１１が下降する。このロック部材１０，１１の下降により、その傾斜凸部１０ａ，１１ａとフック部材５，６の係合凸部５ｃ、６ｃの係合が外れ、フック部材５，６は、コイルばね１２，１３のばね力により、図１４，１６の位置まで、反時計方向つまり背面側に回動し、表枠５１が解錠状態となる。このとき、フック部材５，６の膨出した押出部５ｄ、６ｄは、受け金具５３の係止板５４を押し出すように作用するため、その反力を受けた表枠５１は、前面に押し出されるように軽く開くことができる。
【００３９】
一方、表枠５１内のガラス枠５２を表枠５１に対し閉じる際には、ガラス枠５２を表枠５１に対し押して閉じる。このとき、ガラス枠５２の内側に設けたガラス枠受け部５６が、図１１のように、鉤部材１４，１５の頭部の傾斜面に当り、これを上方に摺動させ、係止位置に達したとき、コイルばね１６，１７の付勢力により鉤部材１４，１５が原位置に（下方に）戻ることにより、図１１の如く、ガラス枠受け部５６に鉤部材１４，１５が係止され、ガラス枠５２は施錠状態となる。
【００４０】
一方、ガラス枠５２を解錠する場合は、キーによってシリンダ錠７の錠軸７ａを表枠解錠時とは逆の左に回し、カム部材９を同方向に回転させる。このとき、カム部材９の下側の係合凸部９ｂは作動杆８の係合部８ａの下部に係合してこれを押し上げる。
【００４１】
この作動杆８の上昇により、その係合部８ｄ，８ｅが、ガラス枠用の鉤部材１４，１５の係合凸部１４ａ，１５ａに当たり、これを押し上げる。これによって、ガラス枠用の鉤部材１４，１５が、コイルばね１６，１７のばね力に抗して上方に摺動し、このとき、ガラス枠受け部５６が鉤部材１４，１５から外れ、ガラス枠５２は解錠状態となる。
【００４２】
このように、フック部材５，６、ロック部材１０，１１、コイルばね１２，１３．１６，１７及び作動杆８を、チャンネル状の基枠１内にコンパクトに配して、施錠装置をより少ない部品点数と加工工数で、より安価に製造することができる。また、フック部材５，６、ロック部材１０，１１、コイルばね１２，１３，１６，１７が基枠内に収容されるため、ワイヤや針金等を遊技機の隙間から挿入するような不正解錠が行われたとしても、フック部材、ロック部材、コイルばね等にワイヤや針金等がかかりにくく、不正解錠を防止することができる。
【００４３】
さらに、基枠１から外側に突出す部分が殆どなく、搬送時、実際の使用時共に、フック部材５，６、ロック部材１０，１１、コイルばね等と他の部材との干渉を回避して、搬送時の不具合を解消し、施錠装置を遊技機に取り付けて使用された場合、遊技機の点検時などに表枠５１を開放した際の作業者との干渉を回避することができる。
【００４４】
また、コンパクトな施錠装置により、遊技機の表枠５１とガラス枠５２の両方を施錠することができ、１本の作動杆８の上または下への摺動により、表枠５１またはガラス枠５２の解錠を簡単に行うことができる。また、作動杆８は、ガラス枠用の鉤部材１４，１５を施錠側に付勢するコイルばね１６，１７と、ロック部材１０，１１を付勢するコイルばね１２，１３とにより、中立位置に保持されるので、少ない部品点数で比較的簡単な構造により、解錠操作時、カム部材９を介して作動杆８を軽い操作力で上または下に摺動させて、表枠５１またはガラス枠５２を円滑に解錠することができる。
【００４５】
なお、ロック部材１０，１１の傾斜凸部１０ａ，１１ａと係合可能な係合部として、上記でフック部材５，６に板状の係合凸部５ｃ、６ｃ設けたが、この係合凸部は、図１６に示すように、回動自在な係合ピン２５ｃとすることができる。このような係合ピン２５ｃをフック部材５，６上に回動自在に設けることにより、施錠時に、係合ピン２５ｃが回動しながらロック部材１０，１１の傾斜凸部１０ａ，１１ａを押して摺動させるので、その間の摩擦抵抗を小さくし、施錠時に受け金具５３の係止板５４をフック部材５，６の係止凹部５ｂ、６ｂに押し込み施錠する際、より軽く施錠操作を行うことができる。
【符号の説明】
【００４６】
１      基枠
１ａ    受入開口部
２      取付板
２ａ    取付部
２ｂ    スリット
３      支持板
４      背面板
５      フック部材
５ａ    枢軸
５ｂ    係止凹部
５ｃ    係合凸部
５ｄ    押出部
６      フック部材
７      シリンダ錠
７ａ    錠軸
７ｂ    フランジ
８      作動杆
８ａ    係合部
８ｂ    係合部
８ｄ    係合部
９      カム部材
９ａ    係合凸部
９ｂ    係合凸部
１０    ロック部材
１０ａ  傾斜凸部
１０ｂ  係合部
１１    ロック部材
１４    鉤部材
１４ａ  係合凸部
２５ｃ  係合ピン
５０    本体枠
５１    表枠
５２    ガラス枠
５３    受け金具
５４    係止板
５５    カバー部
【図１】
0005752468.tif 000002
【図２】
0005752468.tif 000003
【図３】
0005752468.tif 000004
【図４】
0005752468.tif 000005
【図５】
0005752468.tif 000006
【図６】
0005752468.tif 000007
【図７】
0005752468.tif 000008
【図８】
0005752468.tif 000009
【図９】
0005752468.tif 000010
【図１０】
0005752468.tif 000011
【図１１】
0005752468.tif 000012
【図１２】
0005752468.tif 000013
【図１３】
0005752468.tif 000014
【図１４】
0005752468.tif 000015
【図１５】
0005752468.tif 000016
【図１６】
0005752468.tif 000017